(57)【特許請求の範囲】
【請求項１】
アレルゲンを不活化する化合物として、水溶性ジルコニウム塩を含有することを特徴とする抗アレルゲン繊維及び繊維製品。
【請求項２】
アレルゲンを不活化する化合物が塩基性塩化ジルコニル、オキシ塩化ジルコニウム、四塩化ジルコニウム、臭化ジルコニウム、硫酸ジルコニウム、塩基性硫酸ジルコニウム、酢酸ジルコニル、ギ酸ジルコニル、硫酸ジルコニウムナトリウム、酢酸ジルコニウムアンモニウム、シュウ酸ジルコニウムナトリウム、クエン酸ジルコニウムアンモニウムであることを特徴とする請求項１記載の抗アレルゲン繊維及び繊維製品。
【請求項３】
抗アレルゲン繊維製品が絨毯、畳、寝具、マスク、カーテン、ぬいぐるみであることを特徴とする請求項１記載の抗アレルゲン繊維製品。
【発明の詳細な説明】
【０００１】
【発明の属する技術分野】
本発明は、環境中のアレルゲンを不活化するための抗アレルゲン繊維及び繊維製品に関するものである。
【０００２】
【従来の技術及び発明が解決しようとする課題】
喘息やアトピー性皮膚炎などのアレルギー性疾患は、長年にわたり、多くの人が悩まされてきたものである。これらのアレルギー性疾患の原因として、屋内に棲息するダニやペットの毛、花粉が代表的なものとして、良く知られている。現在、アレルギー患者の治療には主に薬物療法が適用されているが、一方では、アレルギーを引き起こす因子であるアレルゲンを患者自身の生活環境から除去することも直接、アレルゲンへの暴露から患者を守るという合理的な手段である。このようなアレルゲン除去による症状改善は、日本の他、ヨーロッパやアメリカにおいても報告がなされている。
【０００３】
アレルゲン除去の方法としては、電気掃除機による吸引、空気清浄機による除去や寝具の高密度カバーの使用などがあげられる。しかしながら、電気掃除機による吸引だけでは除去できるアレルゲン量に限界があり、空気清浄機では空中に舞うアレルゲンのみの除去になる。また、寝具の高密度カバーでは内側からのアレルゲン除去にはなるが外側からのアレルゲン除去にはならないなど、これらの方法は必ずしも満足できるものではなかった。
【０００４】
さらに、アレルゲンを化学的に不活化する方法としては、タンニン酸の処理（特公平２−１６７３１）が知られている。しかしながら、本方法では、何らかの着色が認められるという問題があった。
【０００５】
また、屋内塵中のダニ駆除には、一般的に殺ダニ剤が用いられるが、ハウスダスト中のコナヒョウヒダニ  Dermatophagoides farinae  Hughes  や ヤケヒョウヒダニ  Dermatophagoides pteronyssinus (Trouessart)  等は、死んだ後もアレルゲン性を残し、虫体が分解するに従い、徐々に微粒子のアレルゲンを放出するため、ダニを殺しただけではアレルゲンを不活化したことにはならないのである。
【０００６】
【課題を解決するための手段】
本発明者は、このような課題を解決するため、鋭意研究の結果、アレルゲンに反応し、アレルゲンを不活化する化合物（以下、不活化剤）、とくにジルコニウム塩を担持させた繊維及びマスク、寝具、絨毯、畳、カーテン、ぬいぐるみ等の繊維製品を用いることにより、アレルゲンを不活化できることを見いだし、本発明に至った。
【０００７】
【発明の実施の形態】
本発明の抗アレルゲン繊維及び繊維製品は、不活化剤を、０．０１〜７０重量％、好ましくは、０．１〜５０重量％含有する。本発明に用いる不活化剤は特に限定されることはないが、例えばジルコニウム塩をあげることができる。ジルコニウム塩としては、塩基性塩化ジルコニル、オキシ塩化ジルコニウム、四塩化ジルコニウム、臭化ジルコニウム等のハロゲン化ジルコニウム、硫酸ジルコニウム、塩基性硫酸ジルコニウム等の鉱酸のジルコニウム塩、酢酸ジルコニル、ギ酸ジルコニル等の有機酸のジルコニウム塩、硫酸ジルコニウムナトリウム、酢酸ジルコニウムアンモニウム、シュウ酸ジルコニウムナトリウム、クエン酸ジルコニウムアンモニウム等のジルコニウム錯塩が挙げられ、水溶性のものが扱いやすく、特に、塩基性塩化ジルコニルが好ましい。またその他、酸化亜鉛などの亜鉛塩や酸化アルミニウムなどのアルミニウム塩、クエン酸・マロン酸・リンゴ酸・酒石酸・乳酸などの有機酸も、不活化剤として、好ましいものである。
【０００８】
本発明の抗アレルゲン繊維の素材としては、綿、麻、羊毛、絹、レーヨン、ナイロン、ポリエステル、アクリル等があげられ、不活化剤を処理したこれらの抗アレルゲン繊維を用いることにより、アレルゲンを不活化する。
【０００９】
また、本発明の抗アレルゲン繊維製品としては、絨毯、畳、寝具、マスク、カーテン、ぬいぐるみ等もあげられ、これらは本来の用途として直接用いることにより、アレルゲンを不活化する。
【００１０】
本発明の抗アレルゲン繊維及び繊維製品は、不活化剤の処理において、バインダーとして、アクリル系、ウレタン系、エポキシ系等の樹脂エマルションを用いることができ、これらバインダーのイオン性は、アニオン性、カチオン性、非イオン性のいずれであっても差し支えない。また、ブロック化イソシアネート等の反応型や非反応型の樹脂等、各種素材に応じたものを用いて処理することもできる。
【００１１】
本発明の抗アレルゲン繊維及び繊維製品を用いることにより、多様なアレルゲンを実質的に減少させ、特に、本発明は、環境中のアレルゲンが屋内塵のダニアレルゲンや植物アレルゲンの場合に効果的に不活化できるものであり、ハウスダスト中のダニアレルゲン及び植物アレルゲン（例えば、スギ花粉等）をほぼ完全に不活化することができる。
【００１２】
【実施例】
本発明を製造例、実施例により、更に詳しく説明するが、本発明がこれらによって限定されることはない。
【００１３】
【製造例１】
抗アレルゲン寝具
木綿の布または不織布をニューテックス株式会社製のジルコゾールＺＣ−２（塩基性塩化ジルコニルとして４６重量％含有、酸化ジルコニウムとして３５重量％含有、比重（２５℃）１．６５）の２０重量％水溶液に浸漬し、風乾する。この処理布を縫製することにより、容易に抗アレルゲンシーツ、抗アレルゲン布団カバー等を製造することができる。
【製造例２】
抗アレルゲン畳
ニューテックス株式会社製のジルコゾールＺＣ−２（塩基性塩化ジルコニルとして４６重量％含有、酸化ジルコニウムとして３５重量％含有、比重（２５℃）１．６５）３重量％、エタノール３０重量％、ベンジルアルコール１０重量％を含む水溶液を畳表１m2あたり５０mlスプレー処理し、自然乾燥させることにより、本発明繊維製品を得ることができる。
【００１４】
【実施例１】
ジルコニウム塩を処理した不織布のダニアレルゲンに対する不活化効果の確認目付が約２０〜２５ｇ／ｍ２の不織布を６cm×６cmに切り取り、ジルコゾールＺＣ−２の２０重量％水溶液に浸漬し、そのまま絞らずに風乾させ、製造例試料とした。直径約６．６cmの円形に切り取ったフェルトに、ダニアレルゲンをおよそ1,300μｇ／ｇ含む標準ハウスダストを０．０３ｇずつまんべんなくのせた。その上に風乾した不織布を１枚ずつのせ、その上からエタノール３０重量％及びベンジルアルコール１０重量％を含む蒸留水を約１〜２ｇスプレーし、そのまま自然乾燥させた。乾燥後、不織布を取り除き、フェルトだけをチャック付きビニル袋に入れ、スキムミルクを１０重量％含むリン酸緩衝液１０mlを入れてダニアレルゲンを抽出した。抽出液を遠心機にかけ（12,000rpm，６０min）、上澄み液を酵素免疫測定法（ＥＬＩＳＡ法）でダニアレルゲン量を測定した。また、ジルコゾールＺＣ−２溶液のかわりに水を使用した試験も行い、比較例とした。抗アレルゲン処理不織布による不活化率を式１で表し、結果を表１に示した。
【式１】
不活化率（％）＝｛１−（ダニアレルゲン量製造例試料／ダニアレルゲン量比較例試料）｝×１００
【表１】
0004149111.tif 000002
【００１５】
【発明の効果】
本発明の抗アレルゲン繊維及び繊維製品を用いることにより、アレルゲンを不活化することができた。